(57)【要約】  【課題】    ポスト部分のみの交換ができる回転式高ポストベッド型ミシンの提供。【解決手段】    従来のポストをポストAとポストBに分割し、ポストBは分離可能で他の形状のものに交換することができ、該ポストAの機構は底板下部の下軸に設けられ、該下軸は、元は水平方向の回転運動をしているが、歯車により垂直方向の回転運動に転換され、さらに、ポストA内の水平方向回転運動機構が水平方向回転運動機構に転換され、該ポストBは回転部を備えたユニットであり、分離及び交換を可能にするため、基準軸と凹み槽及び偏心軸と二又板を組み合わせることにより、異なる形状のポストへの交換を容易にする。  【選択図】    図７
2006081636.tif 000002
【特許請求の範囲】
【請求項１】
高ポストベッド型ミシンであって、設置座体の上方にポストAを設け、該ポストAの一端にポストBを設け、該ポストAの一方の側の上部と底部に基準軸及び偏心軸をそれぞれ設け、該ポストB下方の上部と底部に凹み槽及び二又板をそれぞれ設け、且つ、該凹み槽と基準軸が相互に対応し、該二又板と偏心軸が相互に対応することを特徴とする高ポストベッド型ミシン。  
【請求項２】
前記のうち、該ポストB前端に軸方向の凹み槽と、外観がボール状の軸、該軸と接合される孔、該軸方向と垂直な位置決め突起を備えた軸をそれぞれ設け、軸方向に接合及び分離される請求項１に記載の高ポストベッド型ミシン。
【発明の詳細な説明】
【技術分野】
【０００１】
本発明は、高ポストベッド型ミシンに関し、特に、縫製物の形状に合うポストに簡単に交換でき、縫製物の形状に合うポストの交換をより容易にした、高ポストベッド型ミシンに関する。
【背景技術】
【０００２】
従来の回転式ポストベッド型ミシンは、各種の縫製形状の袋に合わせ、図１に示すような適した形状のポスト機構を採用している。該針板座体１３は、内部に回転部、側面に固定針板１４を備え、ポスト１２に支持され、回転軸を中心として自由に回転することができる。
【０００３】
設置座体１０は、回転部の軸心上に設置され、「コ」字形のポスト１２を支持するために用いられ、該設置座体１０は「コ」字形ポスト１２を自由に回転させることができ、また図中には示されていない軸の回転運動を垂直方向の運動に変換するため、その内部に歯車２７を備え、該歯車２７がこの回転を回転部に伝達する。ただ、各種ポストの「コ」字形の部分は皆一体化構造で構成されているため、独立した一台のミシンとしてのみ利用でき、縫製物の工程が変更されるたび、または縫製物の種類が変更されるたびに、それぞれの縫製物に合ったミシンを準備せねばならず、利用しない状態の物品が増えてしまい、また交換時に時間と労力を要する。
【０００４】
上述の従来の回転式高ポストベッド型ミシンは、ポスト部を他の形状のポスト部に交換するとき、設置座体１０を含めた全体を交換しなければならない。
【０００５】
さらに、これら回転式ポストベッド型ミシンの体積は一般的なポストベッド型ミシンより大きいため、交換時に時間と労力を要し、経済効率に欠ける。
【発明の開示】
【発明が解決しようとする課題】
【０００６】
本発明の目的は、ミシンを押し倒す必要なくして、ポスト部分のみの交換ができる回転式高ポストベッド型ミシンを提供することにある。    
【課題を解決するための手段】
【０００７】
本発明の回転式ポストは、ポストをポストAとポストBに分割し、ポストAは下軸から伝達される回転運動を支持し、直角変換の運動機構を利用して組成された水平部のポストユニットであり、ポストBは回転部への回転伝達機構を支持して組成されたポストユニットである。
【０００８】
ユニット化されたポストの組立ては、各ポストの駆動軸上に基準軸及び二又部を設け、両者を組み立てるとすぐに２つのポストユニットが正確な位置に組み立てられる。
【発明の効果】
【０００９】
このポストを該ポストA及び該ポストBの２つの部分に分割して設ける構造により、本発明の回転式高ポストベッド型ミシンは、ポストを容易に交換することができ、経済効率を向上することができる。  
【発明を実施するための最良の形態】
【００１０】
本発明の構造、装置及びその特徴について、以下具体的な実施例と図面に基づき、詳細に説明する。
【００１１】
図２から図８に示すように、本発明の高ポストベッド型ミシンのうち、本体頭部１は針棒７機構、押さえ上昇機構、天秤機構、正反縫製転換機構及び縫目調節機構等を備え、右端に回転動力を得るためのベルト送り４を設けて成り、該本体頭部１は底板９の上方に固定され、且つ、筒部８により本体頭部１の高さが固定される。
【００１２】
該設置座体１０内部に自由に回転できる軸２６を設置し、該設置座体１０は底板９の上方に設置され、該設置座体１０上方にポストA１１’が設置され、且つ、該軸２６がポストA１１’の内部に固定される。
【００１３】
該ポストA１１’の内部に下回転駆動軸２８を設置し、該下回転駆動軸２８の底部に歯車２７が固定され、該歯車２７は歯車３７を中心として自由に回転し、該歯車３７は軸２６の中心に設置され自由に回転することができ、且つ、該歯車２７は図には示されていない下軸の回転運動を垂直運動に変換する。
【００１４】
歯車３７は、設置座体１０に固定された軸３１と逆回転ストッパ３０の二又部分を相互に組み合わせることで、その回転が制限される。
【００１５】
該ポストA１１’の内部に設置台座１５を設け、該設置台座１５の内部には軸受け４０が設置され、該軸受け４０上に自由回転可能な位置決め歯車３８を補助的に設置し、該位置決め歯車３８は歯車３７と相互にかみ合い、該位置決め歯車３８の一端が軸方向と垂直な位置決め突起４６と連結ヘッドA４１により固定される。
【００１６】
該ポストA１１’内部の設置台座１５上に別の軸受け４４を設け、該軸受け４４の中間に自由に回転可能な回転駆動歯車４２を設け、該回転駆動歯車は図には示されていない軸により固定され、該回転駆動歯車４２は下回転駆動軸２８の歯車と相互にかみ合い、該回転駆動歯車４２の一端が軸方向と垂直な位置決め突起４７及び連結ヘッドA４５により固定される。
【００１７】
該設置台座１５上方に基準軸１８を設け、該基準軸１８は軸ネジ１７により設置台座１５上に固定され、該基準軸１８は軸受け４４の軸心上の偏心位置を一致させるために設置される。
【００１８】
該ポストB１２’の内部に軸受け５０を設け、該軸受け５０の中間に自由に回転可能なボール連結ヘッドB４８を設け、該ボール連結ヘッドB４８はその前端に軸方向の凹み槽１９を備え、その外観はボール状の軸であり、該ボール連結ヘッドB４８は連結ヘッドA４１と組み立てられ、且つ、固定リング４９、５１により軸方向の移動が制限される。
【００１９】
連結ヘッド５２がボール連結ヘッドB４８の軸端に固定され、且つ、連結ヘッド５３がポストB１２’内部の軸受け５７の中間に設置されて自由に回転することにより、該ボール連結ヘッドB４８の回転運動が連結ヘッド５４に伝達され、該連結ヘッド５４は軸５５に固定され、該軸５５は固定リング５６、５８により軸方向の移動が制限され、ネジ傘歯車５９が軸５５の一端に固定される。
【００２０】
駆動軸７３は、ポストB１２’内部の上下軸受け７７、７４の中間に設置されて自由に回転することができ、且つ、固定リング７５、７６により軸方向の移動が制限され、下端のネジ傘歯車７２とネジ傘歯車５９を相互にかみ合わせ、且つ上端のネジ傘歯車７８が固定される。
【００２１】
上駆動軸８７は、ポストB１２’内部の軸受け８８、９５の中間に設置されて自由に回転することができ、該上駆動軸８７は固定リング９１、９２により軸方向の移動が制限され、ネジ傘歯車８６が一端に固定され、連結ヘッドF９６が別の一端に固定される。
【００２２】
歯車１０３は軸受け９９中間に設置されて自由に回転することができ、該軸受け９９はポストB１２’内部の軸受け設置座部上に設置され、該歯車１０３上に連結ヘッド９８が設置される。
【００２３】
該上駆動軸８７の回転運動は連結ヘッド９７を介し歯車１０３に伝達される。
【００２４】
歯車１１６と該歯車１０３が相互にかみ合わされる。
【００２５】
軸受け１１２は、回転軸座体１１１の中間に固定され、且つ、側面に針板１４を備えた針板座体１３とネジにより突出部分が固定され、これにより、該歯車１１６が該軸受け１１２を中心として自由に回転することができる。
【００２６】
ボール連結ヘッドB６０は該ボール連結ヘッドB４８と同じく、軸方向の凹み槽を備え、外観がボール状の連結ヘッドであり、該ボール連結ヘッドB６０はポストB１２’内部の軸６２の中間に設置されて自由に回転することができ、且つ、固定リング６１、６３により駆動軸の軸方向の移動が制限され、一端に連結ヘッド６４が設置される。
【００２７】
駆動軸７０は、ポストB１２’内部の軸受け６８の中間に設置されて自由に回動することができ、且つ、固定リング６７、６９により駆動軸の軸方向の移動が制限され、該駆動軸７０の一端に連結ヘッド６６が設置され、別の一端にネジ傘歯車７１が設置され、連結ヘッド６５を介し、ボール連結ヘッドB６０の回転運動が駆動軸７０に伝達される。
【００２８】
駆動軸８０は、軸受け８１、８４の中間に設置されて自由に回動することができ、該軸受け８１、８４はポストB１２’内部に設置され、該駆動軸８０は固定リング８２、８３により軸方向の移動が制限され、且つ、該駆動軸８０の一端に該ネジ傘歯車７１と相互にかみ合うネジ傘歯車７９が設置され、該駆動軸８０の別の一端にネジ傘歯車１０４と相互にかみ合うネジ傘歯車８５が設置される。
【００２９】
駆動軸１０７は軸受け１０５、１０９の中間に設置されて自由に回転することができ、該軸受け１０５、１０９はポストB１２’内の設置座体８９、１００内部に設置され、固定リング１０６、１０８によりその軸方向の移動が制限され、該駆動軸１０７の一端に該ネジ傘歯車１０４が設置され、別の一端に歯車１１０が設置される。
【００３０】
上回転駆動軸１１３は回転軸軸受け１１２の中間に設置されて自由に回転することができ、該上回転駆動軸１１３は該歯車１１０と組み立てられ、且つ、上端に回転部１１５が設置される。
【００３１】
回転軸座体１１１は下回転駆動軸２８の軸心位置と一致させるためにポストB１２’の内部に設置される。
【００３２】
偏心軸２２は、ポストA１１’の一方の側下方に設置され、且つ、ポストB１２’下方の二又板２０と相互に組み込まれ、該偏心軸２２及び二又板２０は、基準軸１８との組立て時の位置関係が図４に示すようにA<Bとなるように配置される。
【００３３】
ネジ２４、２５は、ポストA１１’とポストB１２’を組み立てるために用いられる。
【００３４】
以下、本発明の回転式高ポストベッド型ミシンの動作を説明する。図には示されていない下軸の回転が歯車２７を介し、且つ、下回転駆動軸２８の歯車及び回転駆動歯車４２により回転比率1:1で垂直方向に方向を転換し、さらに、軸方向の分離または組み立て可能な連結ヘッドA４５とボール連結ヘッドB６０を経由した後、ネジ傘歯車７１、７９を利用し回転比率1:1で方向を転換し、さらに、ネジ傘歯車８５、１０４を利用し、回転比率1:1で方向を転換した後、その回転運動を歯車１１０、上回転駆動軸１１３に伝達し、さらに回転比率1:1で方向を転換し、回転部１１５に伝達される。
【００３５】
組み立てた該ポストA１１’とポストB１２’は、軸２６を中心として回転し、ポストA１１’とポストB１２’の回転により、歯車３７上にかみ合わされた歯車３８が回転され、且つ、並藉由軸方向の分離または組立て可能な連結ヘッドA４１、ボール連結ヘッドB４８及び回転比率1:1のネジ傘歯車５９、７２によりその回転方向が転換され、さらに、回転比率1:1のネジ傘歯車７８、８６を利用し、その回転運動が歯車１０３に伝達される。
【００３６】
上述の歯車１０３の形状と歯車３８は同じであり、また歯車３７の形状と歯車１１６は同じであり、該針板座体１３及び針板１４の方向を隨時同一位置に保つことができる。
ポストA１１’下に位置する接合用のネジ２４、２５を外し、ポストA１１’に沿ってポストB１２’を移動すると、ボール連結ヘッドB４８、６０が連結ヘッドA４１、４５から外れ、同時に回転運動が停止される。
【００３７】
ポスト部分の組立ては、連結ヘッドA４１、４５の位置決め突起４６、４７とボール連結ヘッドB４８、６０の二又部分が相互に接合できるように、該ポストB１２’の方向を設定する必要があり、ボール連結ヘッドB４８、６０の二又部の方向と位置決め突起４６、４７を相互に対応させ、且つ、図４に示すように、ポストA１１’がポストB１２’を左側方向に向かって滑動させ導引する。
【００３８】
そして、基準軸１８と凹み槽１９を接合し、さらにポストB１２’を継続して滑動させ、A＜B（図４に示す）に設定した偏心軸２２と二又板２０を相互に接合させる。同時に、ボール連結ヘッドB４８、６０の前端の形状がボール状であるため、連結ヘッドA４１とボール連結ヘッドB４８及び連結ヘッドA４５とボール連結ヘッドB６０は容易に接合され、ポスト部分を分離または組み立てる時、偏心軸２２の回転により回転部の左右合わせ位置が微調整される。
【００３９】
以上で述べた本発明に基づき、駆動軸を分割した後、外観がボール状の凹み槽の連結ヘッドにより回転の伝達が行われるため、従来の一体化構造のポストを分離することができ、また組立て時にも容易に駆動部を組み立てることができる。
【００４０】
さらに、ポスト部分のみの交換が可能になり、ミシンを押し倒さずともポスト部分の設置ができ、時間と労力が大幅に省け、作業効率が向上される。また、ポスト部分のユニット化により、大幅に縫製業者のコスト負担が軽減される。
【図面の簡単な説明】
【００４１】
【図１】従来技術によるミシン本体とポスト部分が一体となった構造を示す平面図である。
【図２】本発明のポスト部分が分割構造になったミシンを示す平面図である。
【図３】本発明の駆動機構の構造図である。
【図４】本発明の分離を示す構造図である。
【図５】本発明の連結ヘッドの組立て状態を示す構造図である。
【図６】本発明の連結ヘッドが組み立てられていない状態を示す構造図である。
【図７】本発明の実施例の立体斜視図である。
【図８】本発明の実施例の構造図である。
【符号の説明】
【００４２】
１        本体頭部
４        ベルト送り
７        針棒
８        筒部
９        底板
１０      設置座体
１１’    ポストA                                                              
１２      ポスト
１２’    ポストB
１３      針板座体
１４      針板
１５      設置台座
１７      軸ネジ                                                           
１８      基準軸
１９      凹み槽
２０      二又板
２２      偏心軸
２４、２５    ネジ
２６      軸
２７、３７、３８、１０３、１１０      歯車
２８      下回転駆動軸
３０      逆回転ストッパ
３１      軸
４０、４４、７４、７７、８１、８４、８８、９５、９９、１０５、１０９、１１２      軸受け
４１、４５      連結ヘッドA
４２      回転駆動歯車
４６、４７      位置決め突起
４８、６０      ボール連結ヘッドB
４９、５１、５６、５８、７５、７６、８２、８３、９１、９２、１０６、１０８      固定リング
５２、５３、５４      連結ヘッド
５５      軸
５９、７１、７２、７８、７９、８５、８６、１０４      ネジ傘歯車
７３、８０、１０７    駆動軸
８７      上駆動軸
８９、１００      設置座体
９６      連結ヘッドF
９８      連結ヘッド
１１１    回転軸座体
１１３    上回転駆動軸                                                   
１１５    回転部
【図１】
2006081636.tif 000003
【図２】
2006081636.tif 000004
【図３】
2006081636.tif 000005
【図４】
2006081636.tif 000006
【図５】
2006081636.tif 000007
【図６】
2006081636.tif 000008
【図７】
2006081636.tif 000009
【図８】
2006081636.tif 000010